(57)【特許請求の範囲】
【請求項１】
録画予約する予約設定部と、前記予約設定部で予約した番組を登録する予約登録部と、録画再生部と、番組単位購入放送番組を購入している場合に受信許可か否か及び録画許可か否かを検出する受信録画許可検出部と、表示部とを備え、前記受信録画許可検出部からの受信許可信号と録画許可信号に従って予約録画実行しようとした場合に前記受信録画許可検出部からの受信許可信号と録画許可信号の変化に伴い予約録画未実行となったときは、前記予約登録部で登録されている予約情報と前記受信録画許可検出部からの受信許可信号と録画許可信号に基づく検出情報とを前記表示部に表示することを特徴とする磁気記録再生装置。
【発明の詳細な説明】
【０００１】
【発明の属する技術分野】
本発明は、録画予約する磁気記録再生装置に関するものである。
【０００２】
【従来の技術】
近年、ＣＳデジタル放送が開始され、デジタルで映像・音声を記録できる磁気記録再生装置への要望が高まってきている。一方、デジタル記録できる磁気記録再生装置、即ちビデオカセットテープを利用してＭＰＥＧ２（ｍｏｖｉｎｇ  ｐｉｃｔｕｒｅ  ｅｘｐｅｒｔｓ  ｇｒｏｕｐ２、以下ＭＰＥＧ２という）のビットストリーム信号を記録できる磁気記録再生装置が開発され発表されてきている。
【０００３】
また、放送番組の中には、番組単位購入放送や契約した人のみ受信できる放送も存在している。こうした番組、特に番組単位購入放送番組などは番組購入した人のみ受信許可できるような限定受信（放送にスクランブルをかけ番組購入していない人は受信不可）が施されている。一般的に番組単位購入放送番組を録画購入する場合、視聴者は見たい番組単位購入放送番組を購入し録画が許可されている番組の時、録画をすることができる。
【０００４】
以下に従来の磁気記録再生装置で番組単位購入放送番組を録画する場合について説明する。図２は、従来の磁気記録再生装置のブロック図である。図２において、４０は従来のデジタル記録できる磁気記録再生装置、４２はチューナー部、４３はチューナーで受信したチャンネルの放送（トランスポートストリーム）をスクランブル解除するトランスポートデコーダー部、４６はＭＰＥＧ２ストリームから通常の映像・音声信号に変換することができるＡＶデコーダー部、４１は番組選択時にチューナー部４２、トランスポートデコーダー部４３及びＡＶデコーダー部４６を制御し選択したチャンネルの受信制御を行う磁気記録再生装置４０の制御部である。また、受信したチャンネルが番組単位購入放送番組のように限定受信が施されておりスクランブル放送の場合、ＩＣカード４４で番組単位購入放送番組を購入しておりスクランブル解除し受信許可か否か及び録画許可か否かを検出する受信録画許可検出部４５からの検出情報により制御部４１はトランスポートデコーダー部４３を制御しスクランブル解除を制御することができる。
【０００５】
また、番組を予約録画する場合、番組スケジュール情報も映像・音声と同時に放送局から送られてきており番組スケジュール情報を制御部４１はデコードして表示部５２に表示することができる。番組を予約する場合、番組スケジュール情報から予約設定部５０で番組を選択すると予約登録部５１に予約した番組を登録することができる。４７は録画再生部で、チューナー部４２で受信したチャンネルはトランスポートデコーダー部４３でスクランブル解除したストリームを録画再生部４７から記録媒体４８に記録することができる。
【０００６】
以上のように構成されたデジタル記録可能な磁気記録再生装置について、図２を用いてその動作を説明する。まず、番組スケジュール表は現在日から１週間先まで或いは数日分の番組予定表が送信されてきている。この番組スケジュール表を使って予約録画したい番組単位購入放送番組を選択することができる。予約録画したい番組単位購入放送番組を放送局からの番組スケジュール表の中から予約設定部５０で選び番組購入すると予約することができる。すると、予約した番組が、受信録画許可検出部４５で番組購入できるようになり予約登録部５１に予約登録される。
【０００７】
この時、番組単位購入放送番組によっては、視聴可能であるが録画禁止／許可を設定することも可能である。この録画禁止／許可情報も放送局から番組スケジュール表と共に送信され、番組単位購入放送番組によっては、予約設定部５０で番組予約した時、記録禁止の番組では、受信は可能であるが録画できない番組も存在する。録画可能な番組を予約した場合、予約した番組の開始で、制御部４１はＩＣカードの受信録画許可検出部４５からの受信許可で予約したチャンネルを選局しトランスポートデコーダ部４３でスクランブル解除し録画再生部４７を経由して記録媒体４８に記録することができる。
【０００８】
【発明が解決しようとする課題】
しかしながら上記の従来の構成では、予約録画設定時は、録画許可であったが番組放送開始時或いは、その前までに録画禁止に変化した場合、予約録画は実行されない。この時、予約設定した人が、後から予約録画した番組を再生しようとした時、記録できていないことが始めて分かる。但し、なぜ記録できていないのかを知る手段がないという問題点を有していた。このような条件が発生する例として、放送局側の番組スケジュ−ル表に番組入力する際、録画禁止番組を誤って録画許可にした場合の入力ミス或いは録画許可条件を変更する場合（たとえば地域限定で録画許可する）に発生することが考えられる。
【０００９】
本発明は上記従来の問題点を解決するもので、放送局側の条件（たとえば、録画許可／禁止）によって予約録画が未実行となった時、予約記録部に予約できなかった場合の情報を記憶することによって放送局からの変更で録画できなかったことを知ることができる磁気記録再生装置を提供することを目的とする。
【００１０】
【課題を解決するための手段】
この目的を達成するために本発明の磁気記録再生装置は、録画予約する予約設定部と、予約設定部で予約した番組を登録する予約登録部と、録画再生部と、番組単位購入放送番組を購入している場合に受信許可か否か及び録画許可か否かを検出する受信録画許可検出部と、表示部とを備え、受信録画許可検出部からの受信許可信号と録画許可信号に従って予約録画実行しようとした場合に受信録画許可検出部からの受信許可信号と録画許可信号の変化に伴い予約録画未実行となったときは、予約登録部で登録されている予約情報と受信録画許可検出部からの受信許可信号と録画許可信号に基づく検出情報とを表示部に表示するという構成を有している。
【００１１】
この構成によって、予約録画設定時は、録画許可で予約できた番組が番組放送開始時或いは、その前までに録画禁止に変化した場合、予約録画は実行されないが、予約情報と受信録画許可検出部からの録画許可条件が禁止となっている旨の検出情報とを表示部に表示させた時に、予約できなかった原因を知ることができる。
【００１２】
【発明の実施の形態】
本発明の請求項１記載の発明は、録画予約する予約設定部と、予約設定部で予約した番組を登録する予約登録部と、録画再生部と、番組単位購入放送番組を購入している場合に受信許可か否か及び録画許可か否かを検出する受信録画許可検出部と、表示部とを備え、受信録画許可検出部からの受信許可信号と録画許可信号に従って予約録画実行しようとした場合に受信録画許可検出部からの受信許可信号と録画許可信号の変化に伴い予約録画未実行となったときは、予約登録部で登録されている予約情報と受信録画許可検出部からの受信許可信号と録画許可信号に基づく検出情報とを表示部に表示することを特徴としたものであり、予約録画設定時には録画許可として予約できた番組が、番組放送開始時或いはその前までに録画禁止に変化したことに伴い予約録画が未実行となっても、予約登録部で予約登録してある予約情報とＩＣカードの受信録画許可検出部からの録画許可信号が録画禁止信号に変更されている旨の検出情報とを表示部に表示することにより、予約録画できなかった原因を知ることができるという作用を有する。
【００１４】
以下、本発明の磁気記録再生装置の実施の形態について、図１を用いて説明する。
【００１５】
（実施の形態１）
図１は本発明の実施の形態１における磁気記録再生装置のブロック図であり、図１において、１０は本実施の形態のデジタル記録可能な磁気記録再生装置、１１は磁気記録再生装置１０の制御部で、番組選択時には後述するチューナー部１２、トランスポートデコーダー部１３、ＡＶデコーダー部１６を制御し選択したチャンネルの受信制御を行う。また、制御部１１はチューナー部１２で受信したチャンネルが番組単位購入放送番組のように限定受信が施されておりスクランブル放送の場合に後述する受信録画許可検出部１５からの検出情報によりトランスポートデコーダー部１３を制御してスクランブル解除を制御することができ、ストリームを録画再生部１７から記録媒体１８に記録することができる。さらに、制御部１１は、番組を予約録画する場合に番組スケジュール情報も映像・音声と同時に放送局から送られてきているが、この番組スケジュール情報をデコードして表示部２３に表示することができる。１２はチューナー部、１３はチューナー部１２で受信したチャンネルの放送（トランスポートストリーム）をスクランブル解除するトランスポートデコーダー部、１４はＩＣカード、１５はＩＣカード１４で番組単位購入放送番組を購入している場合にスクランブル解除して受信許可か否か及び録画許可か否かを検出する受信録画許可検出部、１６はＡＶデコーダー部で、ＭＰＥＧ２ストリームから通常の映像・音声信号に変換することができる。１７は録画再生部、１８は磁気記録テープのような記録媒体、１９は磁気記録テープがない或いは録画できないという情報を出力する記録媒体検出部、２０は予約設定部で、番組を予約する場合に番組スケジュール情報から番組を選択する。２１は予約登録部で、予約した番組を登録する。
【００１６】
以上のように構成されたデジタル記録可能な磁気記録再生装置について、図１を用いてその動作を説明する。まず、番組スケジュール表は現在日から１週間先まで或いは数日分の番組予定表が放送局から映像・音声と一緒に多重化されて送信されてきている。これをチューナー部１２で受信しトランスポートデコーダー部１３でトランスポートストリームに変換し、表示部２３でＯＳＤ（オンスクリーンデイスプレイ）表示する。予約設定時にはこの番組スケジュール表の中から予約したい番組を選択して、予約設定部２０で予約設定する。この結果は予約登録部２１で予約登録される。そして、予約した番組が放送開始される時にはＩＣカード１４の受信録画許可検出部１５からは受信許可信号と録画許可信号もしくは録画禁止信号が出力される。
【００１７】
さて、番組単位購入放送番組によっては、受信を許可するが録画を禁止とする場合、あるいは録画も許可することも可能である。この録画禁止／許可情報も放送局から番組スケジュール表と共に送信される。また、予約設定部２０で番組予約した時には、受信は可能であるが録画禁止の番組も存在する。録画可能な番組を予約した場合には、予約した番組の放送開始時点で、制御部１１はＩＣカード１４の受信録画許可検出部１５から出力される受信許可信号と録画許可信号とで予約した番組を選局しトランスポートデコーダー部１３でスクランブル解除し録画再生部１７を経由して記録媒体１８に記録することができる。
【００１８】
一方、予約した番組単位購入放送番組が録画許可されていたにもかかわらず、番組の放送開始時までに放送局側の入力設定ミス等により録画禁止となる場合も想定される。また、番組スケジュール表は１週間先まで送信されてきており録画許可番組、契約した人のみが見ることができる番組あるいは番組単位購入放送番組等の番組が混在している場合には、逆に録画の許可設定を初期値として設定し、間違って録画禁止の番組も許可にして送信する場合も考えられる。この時、既に予約設定部２０で予約設定し予約登録部２１で予約登録されている番組単位購入放送番組が、番組の放送開始時までに録画許可から録画禁止に変更になった場合にはＩＣカード１４の受信録画許可検出部１５から受信許可信号と録画禁止信号が出力して、制御部１１は録画実行できないと判断し予約登録部２１で予約登録してある予約情報にＩＣカード１４の受信録画許可検出部１５からの録画禁止信号を追加して予約結果記録部２２に登録する。予約した人は、予約番組の放送終了後に、予約した番組を見ようと磁気記録再生装置１０の電源をオンにした時、制御部１１は、予約結果記録部２２の予約結果が存在しているかを確認する。予約結果記録部２２の予約結果が存在している場合は、制御部１１は予約結果記録部２２の予約結果を表示部２３に表示する。すると、予約した人は表示部２３でＩＣカード１４の受信録画許可検出部１５からの録画禁止情報を追加した予約結果記録部２２の予約結果を見ることができ、録画許可情報が変化したことがわかり予約録画できなかった原因を知ることができる。
【００１９】
また、磁気記録テープの様な記録媒体１８の状態を検出する記録媒体検出部１９で、録画可能な磁気記録テープが存在していない状態、即ち磁気記録テープがない状態、或いは磁気記録テープの残量が不足して途中で予約録画が中断した状態、として検出され予約した番組が放送開始となった場合も、制御部１１は記録媒体検出部１９からの「磁気記録テープなし」或いは「録画可能テープがない」という情報を検知することによって、予約登録部２１で予約してある番組に記録媒体検出部１９からの「磁気記録テープなし」或いは「録画可能テープがない」旨の情報を追加して予約結果記録部２２に登録することができる。従って、予約した人が磁気記録再生装置１０の電源を入れたとき、予約結果記録部２２の予約結果が存在している場合には、制御部１１は予約結果記録部２２の予約結果を表示部２３に表示する。こうすることによって予約録画実行できなかったことを知ることができる。尚、電源オンで予約結果記録部２２の予約結果が表示部２３で表示された後に、制御部１１は予約結果記録部２２の予約結果を消去することもできる。
【００２０】
このようにすれば、予約録画を実行できなかった場合には、常に予約結果を表示し予約した人に予約できなかった原因を知らせることができる。
【００２１】
以上のように本実施の形態によれば、予約録画設定時には録画許可として予約できた番組が、番組放送開始時或いはその前までに録画禁止に変化したことに伴い予約録画が未実行となっても、ＩＣカード１４の受信録画許可検出部１５からの録画許可信号が録画禁止信号に変更されている旨を予約登録部２１で予約登録してある予約情報に追加して予約結果記録部２２に予約結果として登録し、予約結果を表示部２３で表示することにより、予約録画できなかった原因を知ることができる。
【００２２】
また、記録媒体の状態を検出する記録媒体検出部１９で録画可能な磁気記録テープが存在していない状態として検出されたときに、記録媒体検出部１９からの検出情報を予約登録部２１で予約登録してある予約情報に追加して予約結果記録部２２に予約結果として登録し、予約結果を表示部２３で表示することにより、予約録画できなかった原因を知ることができる。
【００２３】
【発明の効果】
以上のように本発明は、予約録画設定時には録画許可として予約できた番組が、番組放送開始時或いはその前までに録画禁止に変化したことに伴い予約録画が未実行となっても、予約登録部で予約登録してある予約情報とＩＣカードの受信録画許可検出部からの録画許可信号が録画禁止信号に変更されている旨の検出情報とを表示部に表示することにより、予約録画できなかった原因を知ることができるという優れた効果が得られる。
【００２４】
また、記録媒体の状態を検出する記録媒体検出部で録画可能な磁気記録テープが存在していない状態として検出されたときは、予約登録部で予約登録してある予約情報と記録媒体検出部からの検出情報とを表示部に表示することにより、予約録画できなかった原因を知ることができるという優れた効果が得られる。
【図面の簡単な説明】
【図１】本発明の実施の形態１における磁気記録再生装置の構成を示すブロック図
【図２】従来の磁気記録再生装置の構成を示すブロック図
【符号の説明】
１０  磁気記録再生装置
１５  受信録画許可検出部
１７  録画再生部
１８  記録媒体
１９  記録媒体検出部
２０  予約設定部
２１  予約登録部
２３  表示部
【図１】
0003726514.tif 000002
【図２】
0003726514.tif 000003